(57)【要約】      （修正有）【課題】防滑性があり、快適性及び耐摩耗性に優れるソフトバレーボールを提供する。【解決手段】ソフトバレーボールは、球体内腔、化繊布、複数のＥＶＡ弧状シートを含み、化繊布は球体内腔を被覆し、複数のＥＶＡ弧状シートは球状に繋ぎ合わされて化繊布上を被覆し、ＥＶＡ弧状シートは、第１ＥＶＡ弓型弧状シート３１、ＥＶＡ線形弧状シート３２、第２ＥＶＡ弓型弧状シート３３を含み、第１ＥＶＡ弓型弧状シートにおける一方の円弧辺は、ＥＶＡ線形弧状シートにおける一方の円弧辺に接続され、第２ＥＶＡ弓型弧状シートにおける一方の円弧辺は、ＥＶＡ線形弧状シートにおける他方の円弧辺に接続される。【選択図】図２
0003221536.tif 000002
【実用新案登録請求の範囲】
【請求項１】
球体内腔を含むソフトバレーボールであって、
更に、化繊布及び複数のＥＶＡ弧状シートを含み、
前記化繊布は前記球体内腔を被覆し、
複数のＥＶＡ弧状シートは球状に繋ぎ合わされて化繊布上を被覆し、
ＥＶＡ弧状シートは、第１ＥＶＡ弓型弧状シート、ＥＶＡ線形弧状シート、第２ＥＶＡ弓型弧状シートを含み、前記第１ＥＶＡ弓型弧状シートにおける一方の円弧辺は、前記ＥＶＡ線形弧状シートにおける一方の円弧辺に接続され、前記第２ＥＶＡ弓型弧状シートにおける一方の円弧辺は、前記ＥＶＡ線形弧状シートにおける他方の円弧辺に接続されることを特徴とするソフトバレーボール。
【請求項２】
前記ＥＶＡ弧状シートの数は、６〜１８枚であることを特徴とする請求項１記載のソフトバレーボール。
【請求項３】
前記第１ＥＶＡ弓型弧状シート及び第２ＥＶＡ弓型弧状シートは、糸によりＥＶＡ線形弧状シートに縫い合わされることを特徴とする請求項１記載のソフトバレーボール。
【請求項４】
前記第１ＥＶＡ弓型弧状シート及び第２ＥＶＡ弓型弧状シートは、高強度の強力接着剤によりＥＶＡ線形弧状シートに接着されることを特徴とする請求項１記載のソフトバレーボール。
【請求項５】
前記第１ＥＶＡ弓型弧状シート、ＥＶＡ線形弧状シート及び第２ＥＶＡ弓型弧状シートには、それぞれ複数の貫通孔が設けられることを特徴とする請求項１記載のソフトバレーボール。
【請求項６】
前記貫通孔は五角星形状の孔であり、各前記五角星形状の孔の中心から星の各角までの距離は１〜１．８ｍｍであり、且つ、各前記第１ＥＶＡ弓型弧状シート、又はＥＶＡ線形弧状シート、又は第２ＥＶＡ弓型弧状シート上の隣接する五角星形状の孔の間隔は５〜８ｍｍであることを特徴とする請求項５記載のソフトバレーボール。
【請求項７】
各前記第１ＥＶＡ弓型弧状シート上の貫通孔の数は３４０〜３８０個、各前記第２ＥＶＡ弓型弧状シート上の貫通孔の数は３４０〜３８０個、各前記ＥＶＡ線形弧状シート上の貫通孔の数は４４０〜４８０個であることを特徴とする請求項５記載のソフトバレーボール。
【請求項８】
前記貫通孔の形状は、円形、正方形、楕円形、長方形、菱形、三角形又は六角形のいずれかであることを特徴とする請求項５記載のソフトバレーボール。
【考案の詳細な説明】
【技術分野】
【０００１】
本考案はバレーボールの技術分野に属し、特にソフトバレーボールに関する。
【背景技術】
【０００２】
ソフトバレーボールは、スポーツ、レジャー、娯楽が一体となった大衆的なスポーツ競技であり、新たな種目として多くのスポーツ愛好家から人気を得ている。ソフトバレーボールは軟質プラスチックからなり、試合用のボールの重量は、通常のバレーボールが１００〜１５０ｇであるのに対して約１２０ｇほどである。
【０００３】
ソフトバレーボールは、バレーボール初心者が技術をより向上させ、磨くために用いられる。現在、ソフトバレーボールの表層には厚さ０．３ｍｍ未満のＰＵ皮革やＰＶＣ皮革が用いられているが、手元の滑り易さや快適性、耐摩耗性に劣るといった欠点がある。
【考案の概要】
【考案が解決しようとする課題】
【０００４】
本考案は、その解決すべき技術的課題として、手元に対し防滑性があり、快適性や耐摩耗性に優れるといった利点を備えるソフトバレーボールを提供することである。
【課題を解決するための手段】
【０００５】
上記の目的を実現するために、本考案では以下の技術的方策を用いる。
【０００６】
球体内腔を含むソフトバレーボールであって、更に、化繊布及び複数のＥＶＡ（Ethylene-Vinyl Acetateエチレン-酢酸ビニル共重合樹脂）弧状シートを含み、化繊布は球体内腔を被覆し、複数のＥＶＡ弧状シートは球状に繋ぎ合わされて化繊布上を被覆し、ＥＶＡ弧状シートは、第１ＥＶＡ弓型弧状シート、ＥＶＡ線形弧状シート、第２ＥＶＡ弓型弧状シートを含み、第１ＥＶＡ弓型弧状シートにおける一方の円弧辺は、ＥＶＡ線形弧状シートにおける一方の円弧辺に接続され、第２ＥＶＡ弓型弧状シートにおける一方の円弧辺は、ＥＶＡ線形弧状シートにおける他方の円弧辺に接続される。
【０００７】
好ましくは、ＥＶＡ弧状シートの数は６〜１８枚とする。
【０００８】
好ましくは、第１ＥＶＡ弓型弧状シートと第２ＥＶＡ弓型弧状シートは、それぞれ糸によりＥＶＡ線形弧状シートに縫い合わされる。
【０００９】
好ましくは、第１ＥＶＡ弓型弧状シートと第２ＥＶＡ弓型弧状シートは、それぞれ高強度の強力接着剤によりＥＶＡ線形弧状シートに接着される。
【００１０】
好ましくは、第１ＥＶＡ弓型弧状シート、ＥＶＡ線形弧状シート、第２ＥＶＡ弓型弧状シートには、それぞれ複数の貫通孔が設けられる。
【００１１】
好ましくは、貫通孔は五角星形状の孔であり、各五角星形状の孔の中心から星の各角までの距離は１〜１．８ｍｍであり、且つ、各第１ＥＶＡ弓型弧状シート、又はＥＶＡ線形弧状シート、又は第２ＥＶＡ弓型弧状シート上の隣接する五角星形状の孔の間隔は５〜８ｍｍである。
【００１２】
好ましくは、各第１ＥＶＡ弓型弧状シート上の貫通孔の数は３４０〜３８０個、各第２ＥＶＡ弓型弧状シート上の貫通孔の数は３４０〜３８０個、各ＥＶＡ線形弧状シート上の貫通孔の数は４４０〜４８０個とする。
【００１３】
好ましくは、貫通孔の形状は、円形、正方形、楕円形、長方形、菱形、三角形又は六角形のいずれかとする。
【考案の効果】
【００１４】
本考案によれば、以下の有益な効果が得られる。
【００１５】
本考案のソフトバレーボールは、球体内腔、化繊布、複数のＥＶＡ弧状シートを含み、化繊布は球体内腔を被覆し、複数のＥＶＡ弧状シートは球状に繋ぎ合わされて化繊布上を被覆し、ＥＶＡ弧状シートは、第１ＥＶＡ弓型弧状シート、ＥＶＡ線形弧状シート、第２ＥＶＡ弓型弧状シートを含み、第１ＥＶＡ弓型弧状シートにおける一方の円弧辺は、ＥＶＡ線形弧状シートにおける一方の円弧辺に接続され、第２ＥＶＡ弓型弧状シートにおける一方の円弧辺は、ＥＶＡ線形弧状シートにおける他方の円弧辺に接続される。ＥＶＡ弧状シートはエチレン−酢酸ビニル共重合体を主な材料とするため、ソフトバレーボールが軽量となり、手元に対し防滑性を備え、快適性及び耐摩耗性が良好となるほか、接着性が強力となるといった利点を有する。
【００１６】
このほか、第１ＥＶＡ弓型弧状シート、ＥＶＡ線形弧状シート、第２ＥＶＡ弓型弧状シートにはそれぞれ複数の貫通孔が設けられる。ソフトバレーボールは空中を飛行する際に回転するが、空気流がソフトバレーボールの貫通孔を通過するため、飛行時におけるソフトバレーボールの抵抗が増大する。そのため、ソフトバレーボールの飛行速度が減速し、競技時にボールから受ける衝撃力が減衰するため、バレーボール初心者が誤って怪我をするとの事態が回避される。
【図面の簡単な説明】
【００１７】
【図１】図１は、本考案のソフトバレーボールの断面図である。
【図２】図２は、本考案のＥＶＡ弧状シートの展開図である。
【図３】図３は、本考案のソフトバレーボールの平面図におけるＥＶＡ弧状シートの構造を示す図である。
【図４】図４は、本考案のソフトバレーボールの貫通孔を示す図である。
【考案を実施するための形態】
【００１８】
以下に、本考案について図面とともに更に説明する。
【００１９】
図１及び図２に示すように、本考案の実施例では、ＰＶＣ材料からなる球体内腔を含み、球体内腔に吸気用の空気穴が設けられるソフトバレーボールを提供する。当該ソフトバレーボールは更に、化繊布及び複数のＥＶＡ弧状シートを含む。ＥＶＡ弧状シートは、エチレン−酢酸ビニル共重合体を主な材料とし、軽量、手元に対する防滑性、良好な快適性及び耐摩耗性、強力な接着性といった機能を備える。また、化繊布は、球体内腔を被覆する。複数のＥＶＡ弧状シートは、互いに繋ぎ合わされて１つの球体を構成し、化繊布上を被覆する。ＥＶＡ弧状シートは、第１ＥＶＡ弓型弧状シート、ＥＶＡ線形弧状シート、第２ＥＶＡ弓型弧状シートを含む。第１ＥＶＡ弓型弧状シートにおける一方の円弧辺は、ＥＶＡ線形弧状シートにおける一方の円弧辺に接続され、第２ＥＶＡ弓型弧状シートにおける一方の円弧辺は、ＥＶＡ線形弧状シートにおける他方の円弧辺に接続される。
【００２０】
好ましい形態として、複数のＥＶＡ弧状シートは糸で縫合することで固定される。糸によって隣接するＥＶＡ弧状シートの接続箇所を縫い合わせた後、化繊布上を被覆するよう化繊布に接続し、１つの球体を構成するように繋ぎ合わせる。
【００２１】
好ましい形態として、複数のＥＶＡ弧状シートは、高強度の強力接着剤によって化繊布に接着される。これにより、化繊布上を被覆して１つの球体を構成するよう繋ぎ合わせる。
【００２２】
好ましくは、ＥＶＡ弧状シートの数は６〜１８枚とする。
【００２３】
好ましくは、第１ＥＶＡ弓型弧状シートと第２ＥＶＡ弓型弧状シートは、それぞれ糸によりＥＶＡ線形弧状シートに縫い合わされる。
【００２４】
好ましくは、第１ＥＶＡ弓型弧状シートと第２ＥＶＡ弓型弧状シートは、それぞれ高強度の強力接着剤によりＥＶＡ線形弧状シートに接着される。
【００２５】
好ましくは、ＥＶＡ弧状シートの断面厚さは１．８〜２．５ｍｍであり、化繊布の断面厚さは０．２ｍｍ以下である。
【００２６】
更に、図３に示すように、第１ＥＶＡ弓型弧状シート、ＥＶＡ線形弧状シート、第２ＥＶＡ弓型弧状シートにはそれぞれ複数の貫通孔が設けられている。
【００２７】
好ましくは、図４に示すように、貫通孔は五角星形状の孔であり、各五角星形状の孔の中心から星の各角までの距離は１〜１．８ｍｍとされる。且つ、各第１ＥＶＡ弓型弧状シート、又はＥＶＡ線形弧状シート、又は第２ＥＶＡ弓型弧状シート上の隣接する五角星形状の孔の間隔は５〜８ｍｍとされる。
【００２８】
好ましくは、各第１ＥＶＡ弓型弧状シート上の貫通孔の数は３４０〜３８０個、各第２ＥＶＡ弓型弧状シート上の貫通孔の数は３４０〜３８０個、各ＥＶＡ線形弧状シート上の貫通孔の数は４４０〜４８０個とする。
【００２９】
好ましくは、貫通孔の形状は、円形、正方形、楕円形、長方形、菱形、三角形又は六角形のいずれかとする。
【００３０】
以上の実施例は本考案の例示的な実施例にすぎず、本考案を制限するものではない。本考案の保護の範囲は特許請求の範囲により限定される。当業者は、本考案の本質及び保護の範囲内において、本考案につき各種の修正や等価の置き換えが可能であり、このような修正又は等価の置き換えもまた本考案の保護の範囲内とみなされる。
【符号の説明】
【００３１】
１    球体内腔
２    化繊布
３    ＥＶＡ弧状シート
３１  第１ＥＶＡ弓型弧状シート
３２  ＥＶＡ線形弧状シート
３３  第２ＥＶＡ弓型弧状シート
４    貫通孔
【図１】
0003221536.tif 000003
【図２】
0003221536.tif 000004
【図３】
0003221536.tif 000005
【図４】
0003221536.tif 000006